(57)【要約】建物の層間の騷音・振動の低減板、及びこれを含む騷音・振動の低減構造を開示する。本発明の低減板は、下部ゴムパッド層１１００と、前記ゴムパッド層１１００の上に配置された中間遮音層１２００と、前記中間遮音層１２００の上に配置された上部ゴムパッド層１３００とからなっており、前記中間遮音層１２００は、多数のプラスチック柱１２２０を媒介として上下に各々設けられた２つのプラスチック板１２１１と、前記プラスチック柱１２２０と柱との間に当接するように配置され、両端部が閉鎖された吸音ビニール管１２３０とから構成されていることを特徴とするので、吸音ビニール管を通じて下へ伝達される騷音・振動を殆ど吸収することができ、中級材質の防振素材を使用しても、高価の素材を用いたこと以上の効果を奏するという利点がある。【選択図】図３
2007529659.tif 000002
【特許請求の範囲】
【請求項１】
建物の層間の騷音・振動の低減板において、当該低減板は、
多数のプラスチック柱１２２０を媒介として上下に各々設けられた２つのプラスチック板１２１０と、前記プラスチック柱１２２０と柱との間に当接するように配置され、両端部が閉鎖された吸音ビニール管１２３０とから構成されている中間遮音層１２００からなることを特徴とする建物の層間の騷音・振動の低減板。
【請求項２】
前記中間遮音層１２００の上に上部ゴムパッド層１３００が、又は前記中間遮音層１２００の下に下部ゴムパッド層１１００が、配置されていることを特徴とする請求項１に記載の建物の層間の騷音・振動の低減板。
【請求項３】
前記中間遮音層１２００の上下には、上部ゴムパッド層１３００と下部ゴムパッド層１１００とが各々配置されていることを特徴とする請求項１に記載の建物の層間の騷音・振動の低減板。
【請求項４】
前記吸音ビニール管１２３０は、プラスチック柱１２２０と柱との間に一つおきに挟まれていることを特徴とする請求項１、２又は３のいずれか１項に記載の建物の層間の騷音・振動の低減板。
【請求項５】
前記吸音ビニール管１２３０が設けられたプラスチック柱１２２０と柱との間には、更に、不織布１２４０が当接するように挟まれていることを特徴とする請求項４に記載の建物の層間の騷音・振動の低減板。
【請求項６】
前記不織布１２４０は、前記吸音ビニール管１２３０を挟んで２層に配置されたことを特徴とする請求項５に記載の建物の層間の騷音・振動の低減板。
【請求項７】
前記吸音ビニール管１２３０の内部には、貫通孔１２３２が形成された支持板１２３１が複数個設けられていることを特徴とする請求項４に記載の建物の層間の騷音・振動の低減板。
【請求項８】
前記下部ゴムパッド層１１００または上部ゴムパッド層１３００は、ゴム層１１１０と繊維層１１２０とが交互に配置された構造となっていることを特徴とする請求項２又は３に記載の建物の層間の騷音・振動の低減板。
【請求項９】
前記１つ以上のゴム層１１１０の内部には、パイプ１１３０が埋め込まれていることを特徴とする請求項８に記載の建物の層間の騷音・振動の低減板。
【請求項１０】
前記パイプ１１３０の内部には、貫通孔が形成された支持板１１３１が複数個設けられていることを特徴とする請求項９に記載の建物の層間の騷音・振動の低減板。
【請求項１１】
前記吸音ビニール管１２３０とパイプ１１３０とは、互いに交差するように配置されていることを特徴とする請求項９に記載の建物の層間の騷音・振動の低減板。
【請求項１２】
前記プラスチック板１２１０と前記プラスチック柱１２２０とは、ＰＣまたはＰＢＴ、あるいは、その混合物により構成されていることを特徴とする請求項１，２，又は３のいずれか１項に記載の建物の層間の騷音・振動の低減板。
【請求項１３】
請求項１から３のいずれか１項に記載の騷音・振動の低減板２０００とコンクリートスラブとの間に、複数の防振用の受け部１４００が設けられていることを特徴とする建物の層間の騷音・振動の低減構造。
【請求項１４】
前記騷音・振動の低減板２０００の吸音ビニール管１２３０は、プラスチック柱１２２０と柱との間に一つおきに挟まれ、前記吸音ビニール管１２３０が設けられたプラスチック柱１２２０と柱との間には、更に、不織布１２４０が当接するように挟まれていることを特徴とする請求項１３に記載の建物の層間の騷音・振動の低減構造。
【請求項１５】
前記防振用の受け部１４００は、
所定の厚さに形成され、一面が陥没された陥没部１４１２に吸音材１４１６が取り付けられ、その裏面に突出部１４１４が形成された受け板１４１０と、
前記受け板１４１０の突出部１４１４に、その一面が接するように設けられる固定板１４２０と、
前記固定板１４２０に取り付けられた上下部のゴム板１４３０及び１４５０と、
前記下部ゴム板１４５０に取り付けられ、底に接するように設けられる底板１４６０と、
を含んで構成されたことを特徴とする請求項１４に記載の建物の層間の騷音・振動の低減構造。
【発明の詳細な説明】
【技術分野】
【０００１】
本発明は、建物の層間の騷音・振動の低減板、及び、これを含む騷音・振動の低減構造に関する。特に、防振素材を用いると共に、特定の防振配置構造を採択することで、建物の層間騷音・振動を大きく低減させることのできる騷音・振動の低減板、及び、これを含む騷音・振動の低減構造に関する。
【背景技術】
【０００２】
アパートのような共同住宅やビルディングにおいては、コンクリートスラブを挟んで住居空間または業務空間が上下に分離形成されている。これにより、上層で発生される騷音や振動が下層に伝達され、住居生活及び業務に大きな支障を及ぼす場合が多かった。これを防止するために、近年は、建物の層間騷音・振動を低減させる各種構造が研究されつつあり、この中の代表的な幾つかを紹介すれば、以下の通りである。
【０００３】
韓国登録実用新案第３３７７８０号公報には、衝撃吸収用の遮音部材の例が開示されており、その断面構造を、図１に示している。図示のように、従来の遮音部材１００は、合成樹脂糸からなる最下部の第１の繊維材層１１０と、この第１の繊維材層１１０の上部に積層され、合成樹脂からなり、不規則に屈曲されて多数の山と谷とを形成する立体網状体のマット層１２０と、前記立体網状体のマット層１２０の上部に積層された合成樹脂糸からなる第２の繊維材層１３０と、前記第２の繊維材層１３０の上部に積層された合成樹脂糸からなる第３の繊維材層１４０と、前記第３の繊維材層１４０の上に積層された発泡スチロール１５０と、この発泡スチロール１５０の上に積層された衝撃吸収用の遮音シート１６０とから構成されている。ここで、図面符号３０は、仕上げモルタルであり、３２は、暖房用配管であり、２０は、気泡コンクリートである。また、前記遮音部材１００は、コンクリートスラブ１０の上に配置される。
【０００４】
一方、韓国登録実用新案第３１２３５８号公報には、"建築物用層間防振材の積層構造"が開示されており、図２にその断面構造を示した。図示のように、従来の層間防振材１１は、建築物の底スラブ１と気泡コンクリート１２及び仕上げモルタル１８との間に埋め込まれて底衝撃による層間騒音を低減するためのものであり、上部は、凹凸１３が形成され、下段には、一定の間隔を置いて空気層１４が形成され、合成ゴム除振シートからなる高密度層１５を用意した後、この高密度層１５を中心として、下段または上下端に、架橋ＰＥフォームから構成された中密度層１６と無架橋ＰＥフォームから構成された低密度層１７とを熱圧着して、多層構造を形成したものである。
【０００５】
このように、従来の建物の層間遮音または防振構造は、吸遮音または防振素材を積層し、空気層を適宜に形成した後、コンクリートスラブ上に適用することでなされている。
【０００６】
したがって、空気層及び吸遮音素材の品質により、透過率などが大きく変わることになり、高いレベルの防振効果を願う建物においては、それだけ費用が多く掛かるという短所があった。
【発明の開示】
【発明が解決しようとする課題】
【０００７】
本発明は、上記した問題点を解決するために案出されたものであって、発明の目的は、防振素材を適用する他、弦楽器で玄の振動及び騷音を防止する原理を利用する特定の防振配置構造を適用することで、安価でも防振効果を高めることのできる建物の層間の騷音・振動の低減板、及びこれを含む騷音・振動の低減構造を提供することにある。
【課題を解決するための手段】
【０００８】
上記した目的を達成するために、本発明に係る建物の層間の騷音・振動の低減板は、多数のプラスチック柱を媒介として上下に各々設けられた２つのプラスチック板と、前記プラスチック柱と柱との間に当接するように配置され、両端部が閉鎖された吸音ビニール管とから構成されている中間遮音層であることを特徴とする。
【０００９】
前記中間遮音層の上に上部ゴムパッド層が、又は前記中間遮音層の下に下部ゴムパッド層が、配置されていることが望ましい。
【００１０】
また、前記中間遮音層の上下に上部ゴムパッド層と下部ゴムパッド層とが各々配置されている構成とすることが、更に望ましい。
【００１１】
ここで、前記吸音ビニール管は、プラスチック柱と柱との間に一つおきに挟まれることが望ましい。
【００１２】
そして、前記吸音ビニール管の内部には、貫通孔が形成された支持板を複数個設けて変形を防止することが望ましい。
【００１３】
また、前記吸音ビニール管が設けられたプラスチック柱と柱との間には、更に、不織布が当接するように挟まれていることが望ましい。この時、前記不織布は、吸音ビニール管を挟んで２層に配置されることが望ましい。
【００１４】
前記下部ゴムパッド層と上部ゴムパッド層とは、ゴム層と繊維層とが交互に配置された構造とされていることが望ましい。
【００１５】
そして、前記１つ以上のゴム層の内部には、パイプが埋め込まれていることが望ましい。この時、前記パイプの内部には、貫通孔が形成された支持板が複数個設けられており、変形を防止するようにすることが望ましい。
【００１６】
前記吸音ビニール管とパイプとは、互いに交差するように配置されていることが望ましい。
【００１７】
また、前記プラスチック板と前記プラスチック柱とは、ＰＣまたはＰＢＴ、あるいは、その混合物などの強化プラスチックから構成されることができる。
【００１８】
一方、本発明に係る建物の層間の騷音・振動の低減構造は、
前記騷音・振動の低減板とコンクリートスラブとの間に、複数の防振用の受け部が設けられることを特徴とする。
【００１９】
また、前記騷音・振動の低減板の吸音ビニール管は、プラスチック柱と柱との間に一つおきに挟まれ、前記吸音ビニール管が設けられたプラスチック柱と柱との間には、更に、不織布が当接するように挟まれていることが望ましい。
【００２０】
ここで、前記防振用の受け部は、
所定の厚さに形成され、一面が陥没された陥没部に吸音材が取り付けられ、その裏面に突出部が形成された受け板と;
前記受け板の突出部にその一面が接するように設けられる固定板と;
前記固定板に取り付けられた上下部のゴム板と;
前記下部ゴム板に取り付けられ、底に接するように設けられる底板と；
から構成されることができる。
【発明を実施するための最良の形態】
【００２１】
以下、添付の図面を参照して、本発明の望ましい実施例を詳細に説明する。
【００２２】
＜第１の実施例＞
図３と図４には、本発明の第１の実施例に係る構成が示されている。
【００２３】
図示のように、本実施例に係る建物の層間の騷音・振動の低減板２０００は、大きく、下部ゴムパッド層１１００と、前記下部ゴムパッド層１１００の上に配置された中間遮音層１２００と、前記中間遮音層１２００の上に配置された上部ゴムパッド層１３００とから構成されている。
【００２４】
ここで、前記下部ゴムパッド層１１００と上部ゴムパッド層１３００とは、ゴム層１１１０と繊維層１１２０とが交互に配置された構成とされている。本実施例では、５つのゴム層１１１０と２つの繊維層１１２０とから構成されている。そして、５つのゴム層の中で３つは、真ん中の部分に集まっているが、この３つのうち、中央に配置されたゴム層の内部には、パイプ１１３０が埋め込まれている。前記パイプ１１３０により、ゴム層１１１０の中間に空気層が存在することになり、これにより、騒音と振動との伝達が減少される。前記パイプ１１３０の内部には、貫通孔が形成された支持板１１３１が複数個設けられており、パイプの変形を防止できるようになっている。
【００２５】
一方、前記中間遮音層１２００は、多数のプラスチック柱１２２０を媒介として上下に各々設けられた２つのプラスチック板１２１０と、前記プラスチック柱１２２０と柱との間に当接するように配置され、両端部が閉鎖された吸音ビニール管１２３０とから構成されている。
【００２６】
プラスチック板１２１０と前記プラスチック柱１２２０とは、ＰＣ(Polycarbonate)またはＰＢＴ、あるいは、その混合物などの強化プラスチックにより一体に構成されることが、強度上有利である。
【００２７】
そして、前記吸音ビニール管１２３０は、上部ゴムパッド層１３００からの騷音・振動が、プラスチック板１２１０とプラスチック柱１２２０とに沿って伝達される際に、中途で吸音ビニール管１２３０の中に消尽させる構成要素である。したがって、前記吸音ビニール管１２３０は、プラスチック柱１２２０と柱との間に一つおきに配置されており、その構成例が、図８の(a)、(b)に各々示されている。さらに、前記吸音ビニール管１２３０の内部には、貫通孔１２３２が形成された支持板１２３１が複数個設けられており、ビニール管の変形を防止できるようになっている。
【００２８】
また、前記吸音ビニール管１２３０が設けられたプラスチック柱１２２０と柱との間には、更に、不織布１２４０が当接するように挟まれており、吸音ビニール管１２３０で予め吸収できない騷音・振動を追加的に吸収できるようになっている。
【００２９】
そして、前記吸音ビニール管１２３０とパイプ１１３０とは、互いに交差する形態で配置されるようにして、より様々な騷音・振動成分を吸収するようにすることが望ましい。この時、前記交差する角度は、９０度前後が望ましい。
【００３０】
＜第２の実施例＞
図５には、本実施例に係る騷音・振動の低減板の構成が示されている。
【００３１】
図示のように、全体構成が、第１の実施例に類似しているが、前記不織布１２４０が、吸音ビニール管１２３０を挟んで２層に配置されている。
【００３２】
したがって、より完壁な防振/防音効果を得ることができる。
【００３３】
＜第３の実施例＞
本実施例は、前述した騷音・振動の低減板を備える騷音・振動の低減構造に関するものであり、図６に詳細な構成が示されている。
【００３４】
図示のように、前記低減板の下面に、複数の防振用の受け部１４００が更に設けられている。これは、スラブの上面に支持される部分であって、最終的な防振防音効果を奏する部分である。
【００３５】
図７に示されているように、前記防振用の受け部１４００は、所定の厚さに形成され、一面が陥没された陥没部１４１２に吸音材１４１６が取り付けられ、その裏面に突出部１４１４が形成された受け板１４１０と、前記受け板１４１０の突出部１４１４にその一面が接するように設けられる固定板１４２０と、前記固定板１４２０に取り付けられた上下部のゴム板１４３０及び１４５０と、前記下部ゴム板１４５０に取り付けられ、底に接するように設けられる底板１４６０と、を含んで構成されている。
【００３６】
一方、前記本発明に係る建物の層間の騷音・振動の低減板は、１層のコンクリートスラブ１５００(図６参照)上に簡単に組み込むことができ、その上に、気泡コンクリートや暖房用パイプ(図示せず)及び仕上げ用モルタルを適用すれば、下層の防音防振効果を確実に奏するようになる。
【００３７】
また、前記建物の層間の騷音・振動の低減板は、隣りと分離する壁体にも適用するように、垂直に配置できることはいうまでもない。
【００３８】
図３と図４に基づいて、本発明に係る作用を説明すれば、下記の通りである。
【００３９】
先ず、上層で発生された騷音・振動は、室内の底を通じて伝達され始め、このように伝達された騷音・振動は、前記上部ゴムパッド層１３００で最初に吸収される。
【００４０】
吸収されてからの残りの振動成分は、プラスチック板１２１０とプラスチック柱１２２０とを通じて伝達されるが、この時、プラスチック柱１２２０で発生される揺れは、前記プラスチック柱１２２０に接触してある吸音ビニール管１２３０に伝達され、その内部で吸収及び消尽される。
【００４１】
そして、残りの騷音・振動は、不織布１２４０に吸収され、連続的に下部ゴムパッド層１１００に吸収される。
【００４２】
このような、構造的、材料的な構成によって、防振防音効果が殆ど完壁に具現される。
【００４３】
＜試験例＞
図９には、騷音・振動の低減試験装置が示されており、(a)は、本発明の例であり、(b)は、比較例である。
【００４４】
図示のように、図４による構造において、上部ゴムパッド１３００及び下部ゴムパッド１１００を除いた中間遮音層１２００のみを対象として試験がなされており、プラスチックは、ＰＣとＰＢＴとを混合した強化プラスチックを使用した。そして、比較例は、ＰＣとＰＢＴとを混合した強化プラスチック板を対象素材とした。
【００４５】
本発明の中間遮音層において、プラスチック板は、１７cm ×２０cmの広さ、１cmの厚さ、３cmの間隔で形成した。そして、プラスチック柱の径は、１.５mmとした。
【００４６】
また、不織布の厚さは、１cm、ビニール管の径は、１cmと設定した。
【００４７】
一方、試験対象である板の周りは、吸音膜１７００で取り囲み、騷音測定器１９００は、板下の１０cmの位置に配置した。
【００４８】
そして、５０cmの高さから重さ５.６gの木球１６００を落として、板を通過した騷音を測定した。
【００４９】
この時の騷音測定時間は、１分間としており、その測定値は、下記の通りである。ここで、ＭａｘＰは、最大騷音値を、Ｌｅｑは、相当騷音を示す。
【００５０】
2007529659.tif 000003
【００５１】
試験の結果、大きな騷音の低減効果が得られた。もし、ゴムパッドが付加的に適用されると、より大きい騷音遮断効果が得られるであろう。
【産業上の利用可能性】
【００５２】
上記したような構成の本発明によれば、吸音ビニール管を通じて下へ伝達される騷音・振動を殆ど吸収できるので、中級材質の防振素材を使用しても、高価の素材を使用したこと以上の効果を奏するという利点がある。
【図面の簡単な説明】
【００５３】
【図１】従来の建物の層間騷音及び振動の低減構造の一例を示す断面図である。
【図２】従来の建物の層間騷音及び振動の低減構造の他の例を示す断面図である。
【図３】本発明に係る建物の層間の騷音・振動の低減板を示す断面斜視図である。
【図４】本発明に係る建物の層間の騷音・振動の低減板の一実施例を示す断面図である。
【図５】本発明に係る建物の層間の騷音・振動の低減板の他の実施例を示す断面図である。
【図６】本発明に係る建物の層間の騷音・振動の低減板を含む騷音低減構造を示す断面図である。
【図７】図６において、防振用の受け部の構造を示す縦断面図である。
【図８】図４において、吸音ビニール管の可能な配置構造を示す２つの例である。
【図９】騷音・振動試験装置を示す図であって、(a)は、本発明の例であり、(b)は、比較例である。
【符号の説明】
【００５４】
１１００  下部ゴムパッド層
１１１０  ゴム層
１１２０  繊維層
１１３０  パイプ
１１３１  支持板
１２００  中間遮音層
１２１０  プラスチック板
１２２０  プラスチック柱
１２３０  吸音ビニール管
１２３１  支持板
１２３２  貫通孔
１２４０  不織布
１３００  上部ゴムパッド層
１４００  受け部
１４１０  受け板
１４１２  陥没部
１４１４  突出部
１４２０  固定板
１４３０  ゴム板
１４５０  ゴム板
１４６０  底板
【図１】
2007529659.tif 000004
2007529659.tif 000005
【図３】
2007529659.tif 000006
【図４】
2007529659.tif 000007
【図５】
2007529659.tif 000008
【図６】
2007529659.tif 000009
【図７】
2007529659.tif 000010
【図８】
2007529659.tif 000011
【図９】
2007529659.tif 000012
【国際調査報告】
2007529659.tif 000013
2007529659.tif 000014